(57)【要約】【課題】後付けが容易な内締まり錠の提供を目的とする。【解決手段】ロック状態においてドア体１室内側のドアレバー２を拘束して該ドアレバー２と連動する室外側ドアハンドル３の開扉操作を禁止して構成する。  一般に室内外のドアハンドルは室内側のドアハンドルと連動するように構成されるため、室内側を拘束することによって室外側を拘束することができ、室外側からの開扉操作を禁止することにより、いわゆる空錠としてのラッチボルトを錠として機能させ、ロック状態をつくり出すことができる。【選択図】  図１
2006348533.tif 000002
【特許請求の範囲】
【請求項１】
ロック状態においてドア体室内側のドアレバーを拘束して該ドアレバーと連動する室外側ドアハンドルの開扉操作を禁止する内締まりロック装置。
【請求項２】
室内側の適宜位置に固定される固定部と、
屈曲自在に形成されて前記固定部に連結され、ドアレバーとの緊結により該ドアレバーの開扉操作位置への回転を規制する規制体とを有する請求項１記載の内締まりロック装置。
【請求項３】
前記規制体はベルト状に形成されて長手方向に締結位置を調整可能な面ファスナによってドアレバーに緊結する閉ループを形成する請求項２記載の内締まりロック装置。
【発明の詳細な説明】
【技術分野】
【０００１】
本発明は内締まりロック装置に関するものである。
【背景技術】
【０００２】
近年、不正侵入した家が留守であれば空き巣を行い、在宅中であれば居直り強盗に豹変するという極めて悪質な犯罪が横行している。特に居直り強盗の場合には金品のみならず生命までも奪われかねないことから、在宅中であってもドアを厳重に施錠してこのような犯罪を簡単に寄せ付けないようにすることが対策として一般に行われている。
【０００３】
また、上記不正侵入はいわゆるピッキングやサムターン回しにより錠を不正解錠してなされる場合が多く、したがって室内側からしか解錠操作ができず、また、一般に室外側からはその存在を知ることが困難な内締まり錠を取り付けることによって効果的に防止することができる。このような内締まり錠としては、従来、例えば、トイレのドアなどに多く用いられるようなかんぬき状のものなどが知られている。
【０００４】
しかしながら、このようなかんぬき状の錠を取り付けるためには、かんぬきを受ける部分、すなわち錠受けをドア枠側に設けなければならず、ドアの造りによってはドア枠に錠受けを埋め込むなどの大がかりな取付作業を強いられてしまう。
【０００５】
この点、特許文献１には、主錠として一般的ないわゆる彫込箱錠に対して内締まり錠の機能を付加したものが提案されている。この従来例において、錠には、シリンダーやサムターンに加え、これらによって駆動するデットボルトを突き出した状態で固定するデットロックが設けられる。このデットロックは室内側に配置される操作レバーへの操作によってのみ動かすことが可能で、したがって室外側からどのような操作をしてもデットボルトを引っ込めることができないようになる。この従来例によれば、内締まり錠のための錠受けをドア枠側に設ける必要はなく、内締まり錠の機能がない同種の彫込箱錠が既に設置されている条件であれば、錠を入れ替えるだけで足りる。
【特許文献１】特開２００４-１０８１０８号公報
【発明の開示】
【発明が解決しようとする課題】
【０００６】
しかしながら、上記従来例のように主錠に内締まり錠の機能を一体に組み込むようにしてしまうと、内締まり錠を取り付けるために主錠の交換が強要されることになり、既設の主錠が故障していない場合などには単に交換作業に手間がかかる上に、費用も割高になってしまう。また、この従来例においては、上述したように錠受けを新たに設ける必要がない代わりに、ドア内部に収容される彫込箱錠内のデットロックを操作レバーによってドア外部から操作できるようにしなければならない、すなわち操作レバーとデットロックを連結するためにドアに対して新たに穴を開けなければならない。したがって新たに錠受けを埋め込む場合と同じように大がかりな取付作業が必要になってしまう。さらに、既設の主錠が同種のものでない場合には、より大がかりな事態になってしまう。
【０００７】
本発明は、以上の欠点を解消すべくなされたものであって、後付けが容易な内締まり錠の提供を目的とする。
【課題を解決するための手段】
【０００８】
本発明によれば上記目的は、
ロック状態においてドア体１室内側のドアレバー２を拘束して該ドアレバー２と連動する室外側ドアハンドル３の開扉操作を禁止する内締まりロック装置を提供することにより達成される。
【０００９】
本発明によれば内締まりロック装置は、ドア体１室内側のドアレバー２を拘束することによりドア体１をロック、すなわち施錠する。一般に室内外のドアハンドルは連動するように構成されるため、室内側を拘束することによって室外側を拘束することができ、室外側からの開扉操作を禁止することにより、いわゆる空錠としてのラッチボルトを錠として機能させ、ロック状態をつくり出すことができる。
【００１０】
ドア体１室内側のドアレバー２を室内側からしかロック解除操作できない内締まりロック装置により拘束するためには、簡単に言えば装置を室内側に配置するだけでよく、装置を極めて単純に構成することができ、具体的には、例えばドア体１の室内側表面などに装置を取り付けるだけでよいために、ドア体１の外観への影響を心配することなく、後付けが極めてしやすくなる。また、上述したように室外側からの開扉操作に連動する室内側ドアレバー２の動作は、閉扉回転位置と開扉回転位置との間の回転により構成され、この回転は一般に室内側から開扉方向を感覚的に捉えやすい一方向のみに設定されるため、かかる一方向へのドアレバー２の回転を規制するだけで室外側ドアハンドル３を拘束することができる。具体的には、例えばドアレバー２の回転軌道にデッドボルトを進出・退避させるなどして構成することが可能で、このようにすることで錠受けを設ける必要がない上に、装置を極めて単純な機構にすることができる。加えて、このように室内側ドアレバー２に係止するなどの拘束方法をとった場合、室内側から装置を見たときにロック・アンロック状態を直感でき、使い勝手を非常に高めることができる。
【００１１】
ドアレバー２の回転規制は、前述したように回転軌道を塞ぐようにして行うほか、閉扉回転位置にドアレバー２を直接固定するようにして行うことも可能であり、例えば、紐などを結びつけてドアレバー２を閉扉回転位置側に引っ張るように緊張させれば開扉回転位置への回転を規制することが可能となる。このように紐などの屈曲自在な部材をドアレバー２の回転規制のための規制体５として用いる場合には、予めその一端部をドアレバー２の閉扉回転位置寄りの位置、具体的にはドア体１の室内側表面やドア枠の室内側部分、近傍の室内側の壁面などに連結しておき、ロックしたいときにはその長さを適宜調節してドアレバー２に緊結させればよいため、機械式の錠装置のように設置位置に厳密な精度が要求されることはなく、融通性が高いために素人であっても簡単に装置を取り付けることができる。また、紐などのように柔軟なものであれば、衝接してもけがをするようなことはなく、安全性を高めることができる。
【００１２】
さらに、上述の規制体５をベルト状、すなわち幅広に形成した場合には、ドアレバー２に巻き付けるだけで紐状に形成した場合に比べてドアレバー２の長手方向にずれにくくなるため、拘束状態をより安定させることができる。また、このようなドアレバー２への巻き付けや、前述したような長さ調整は、長手方向に締結位置を調整可能な長尺の規制体５によって適宜長の閉ループ７を形成し、該閉ループ７をドアレバー２に係止させるようにすることで、操作性を極めて向上させることができる。この場合、規制体５に所定長さに渡って面ファスナ６を設けるだけで上述した屈曲性や安全性を維持して簡潔に構成することができる。
【発明の効果】
【００１３】
以上の説明から明らかなように、本発明によれば、後付けが容易な内締まり錠を提供することができるために、ピッキング等による錠の不正解錠を防止して凶悪犯罪から財産、生命を守ることができる。
【発明を実施するための最良の形態】
【００１４】
図１に本発明の実施の形態を示す。この実施の形態において、内締まりロック装置Ａは、取付ベース（固定部４）とベルト体（規制体５）とを有し、ベルト体５の一端部を取付ベース４に連結して形成される。取付ベース４は、ベルト体５と同じ幅寸法を備えてベルト体５の長手方向に沿って細長いブロック状に形成され、その高さ寸法は一般的なドアレバー２のドア体１表面との間隔よりやや小さい程度、この実施の形態においては１５ミリに設定される。また、質感を良好にするために素材には木が用いられ、湿気を考慮して防湿塗装が施されるとともに、表面側の長手方向一端縁部は、ベルト体５に対して過度に擦れるなどしてベルト体５を傷つけないように、角取りされて緩やかな傾斜面４ａにされる。この取付ベース４の裏面にはやや強力な両面テープ１１が貼り付けられ、さらに、図１（ｂ）に示すように、表裏を貫通するようにして取付穴１２が設けられてネジでも簡単に固定できるようにされる。
【００１５】
一方、ベルト体５は、後述するようにサムターン２２等が配置されるドアレバー２近傍を避けてやや離れた位置からドアレバー２まで延びる細長い閉ループ７を形成できる程度の全長、この実施の形態においては７００ミリ程度にされる。また、幅寸法はよじれにくさや強度を考慮して適宜決定され、この実施の形態においては３０ミリ程度に設定される。このベルト体５は、ベースとなる基材１３と、この基材１３を締結させて上述した閉ループ７を形成するための締結手段１４と、摩擦体１５とを有し、基材１３の表面に締結手段１４、摩擦体１５を取り付けて形成される。
【００１６】
基材１３は、軽量で、折り曲げに強く、かつ電気絶縁性に優れたポリプロピレンを帯状にして形成され、長手方向両端部は折り返されて補強される。このポリプロピレンは引裂強度が高く、したがって長手方向両端の折り返し部１６は縫製することによってしっかりと形成されて型くずれが防止される。なお、図１（ａ）等において一方の折り返し部１６’に被せられる１７は彩色の施されたカバーである。
【００１７】
締結手段１４は、この実施の形態においては面ファスナ６により構成され、オス側面ファスナ６Ａとメス側面ファスナ６Ｂが各々上述したように引裂強度の高い基材１３の表面に対して縫製によって取り付けられる。各面ファスナ６Ａ、６Ｂは、図１（ａ）および（ｂ）に示すように、基材１３の長手方向に沿ってやや長寸で、締結位置を調整することによって適宜大きさの閉ループ７が形成できるように、基材１３の取付ベース４に連結される固定端側と自由端側とに基材１３長手方向に分かれて配置される。また、この面ファスナ６は、目の細かいもの、すなわち、一般的な面ファスナ６よりも長くて細い繊維状のものによってオス側面ファスナ６Ａのフックやメス側面ファスナ６Ｂのループが構成されているものが使用され、締結時に緻密に連結することで締結強度が高められる。
【００１８】
摩擦体１５は、この実施の形態においてはウレタンをシート状にして形成され、上述したようにベルト体５の長手方向に分かれるオス側面ファスナ６Ａとメス側面ファスナ６Ｂとの間を埋めるようにして基材１３表面に縫製される。ウレタンは一般に高い摩擦係数を有するために滑り止め機能が良好で、柔軟性に富み、耐摩擦性能に優れるだけでなく、引っ張り・引裂強度も高いために縫製しても容易に裂けてしまうようなことがない。
【００１９】
以上のベルト体５と上述した取付ベース４との連結は、図１（ａ）および（ｂ）に示すように、押さえ板によってベルト体５を取付ベース４に押し付けるようにしてなされる。押さえ板１９は、ベルト体５と同じ幅寸法を備えてベルト体５の長手方向に沿って長い矩形状のステンレスプレートで、表裏を貫通するようにして図示しないネジ穴が穿設される。このネジ穴にタッピングネジ２０を差し込み、ベルト体５を貫通するようにして取付ベース４へとねじ込むことにより、ベルト体５を強く挟むようにして押さえ板１９が取付ベース４に対して押し付けられ、押さえ板１９と取付ベース４との間でベルト体５が面によって強く挟み付けられるようにして連結固定される。なお、上記タッピングネジ２０には頭部が滑らかな丸みを帯びたトラスネジが使用され、押さえ板１９表面側に突出しても目立たなくされる。
【００２０】
また、上記押さえ板１９は長手方向の寸法が取付ベース４のほぼ半分程度にされ、図１（ａ）および（ｂ）に示すように端部を合わせるようにして取付ベース４に取り付けられることにより、取付ベース４の長手方向ほぼ中央部からベルト体５が自由になるようにされる。さらに、このベルト体５は上述したカバー１７の取り付けられない一端側を取付ベース４の一端に合わせられて押さえ板１９と取付ベース４に挟持される。
【００２１】
以上の内締まりロック装置Ａは、図２および図３（ａ）に示すように、ドアレバー２が形成されるドア体１の室内側表面１ａに両面テープ１１によって固定されて設置される。このドアレバー２は、図２（ａ）において矢印で示すように、水平となる閉扉回転位置から反時計回りに回転されて開扉回転位置になることによりドア体１からドア枠２０側へ突出するラッチボルト２１をドア体１側に退避させてドア体１を開扉可能にするもので、内締まりロック装置Ａは、図２（ｂ）に示すように、ドアレバー２にベルト体５を係止して閉扉回転位置に拘束することによりラッチボルト２１を退避不能にし、ドア体１を閉扉状態に維持する。なお、図２（ａ）および（ｂ）に示す２２は主錠のサムターン、２３は蝶番である。
【００２２】
内締まりロック装置Ａのドア体１への固定は、図３（ａ）に示すように、取付ベース４を両面テープ１１によってドア体１室内側表面１ａに貼り付けてなされ、この貼り付け位置は、図２（ｂ）に示すように、取付ベース４の傾斜面４ａをドアレバー２側に向けた状態で取付ベース４から垂下するベルト体５の摩擦体１５が閉扉回転位置のドアレバー２に対応するように調整して適宜決定される。
【００２３】
この後、内締まりロック装置Ａによりドア体１をロックする際には、ベルト体５をドアレバー２に巻き付けるようにして上方に折り返し、適宜緊張した状態でオス側面ファスナ６Ａとメス側面ファスナ６Ｂを締結すればよく、ドアレバー２はベルト体５によって形成された閉ループ７に係止して上方に引き上げられ、閉扉回転位置に拘束される。図３（ａ）に２点鎖線で示すように、ドア体１室内側のドアレバー２と室外側のドアノブ（室外側ドアハンドル３）とは断面が矩形にされたシャフト２４により連結されて連動して回転するようにされており、したがってこの状態で室外側のドアノブ３を回そうとしてもドアレバー２を介してシャフト２４の回転が禁止されるために回すことができず、ドア体１室外側からの開扉操作ができないようになる。
【００２４】
また、図３（ｃ）に示すように、このロック状態においてドアレバー２はベルト体５の摩擦体１５に押圧されており、無理に力を加えてドアノブ３を回そうとしてもベルト体５との間でドアレバー２が不用意に滑ってしまうようなことはない。さらに、ベルト体５の一端は取付ベース４によってドア体１室内側表面１ａからドアレバー２と近い高さまで突出して固定されているため、上述したドアノブ３への無理な回転力はベルト体５を長手方向に摺動させる力としてほぼ作用することになる。この点、ベルト体５を締結するオス側面ファスナ６Ａとメス側面ファスナ６Ｂは締結方向に対する直交方向の力に対して非常に強い締結力を発揮する上に、図３（ｂ）に示すようにこれらの締結範囲がベルト体５の長手方向に長くなっているため、ベルト体５が容易にずれてしまうようなことはなく、ドア体１は極めて安定してロック状態を維持することができる。
【００２５】
加えて、図３（ａ）に２点鎖線で示すように、ドアレバー２のドア体１室内側表面１ａからの突出高さが上述したものに比べてやや高い場合であっても、取付ベース４をドア体１に設置する際にベルト体５の摩擦体１５が閉扉回転位置のドアレバー２に対応するように適宜位置調整しておくだけで、ベルト体５はその柔軟性によってドアレバー２の位置に合わせるように適宜変形し、面ファスナ６による強い締結力を生かしてドアレバー２を強固に拘束する。また、この拘束は、少なくともラッチボルト２１がドア枠２０側のラッチボルト受け２５から完全に退避しない範囲であればよく、例えば基材１３がやや伸びる等した場合であってもその範囲内に抑えられればロック状態を維持できるために問題はない。
【００２６】
一方、ロック状態を解除したい場合には、視認性の高いカバー１７を指先で摘んでドア体１から離れる方向に引っ張り、ベルト体５のオス側面ファスナ６Ａをメス側面ファスナ６Ｂから引き剥がせばよく、引き剥がした後は図２（ａ）に示すように単にベルト体５を垂れ下げ、あるいは面ファスナ６ａ、６ｂをベルト体５がドアレバー２に係止しない位置をとるように適宜締結させることにより、アンロック状態を維持することができる。
【００２７】
以上の実施の形態においては面ファスナ６としてオス側面ファスナ６Ａとメス側面ファスナ６Ｂを用いる場合を示したが、オスメス共用の面ファスナ６を２カ所に設けるようにすることも可能である。また、室外側のドアハンドルは、その開扉操作に伴って室内側ドアレバー２が連動するものであればよく、上述したドアノブ３以外にも、例えばドアレバー２であってもプッシュプルドアハンドルなどであっても問題ない。
【図面の簡単な説明】
【００２８】
【図１】本発明を示す図で、（ａ）は正面図、（ｂ）は側面図である。
【図２】ドア体との位置関係等を示す図で、（ａ）はアンロック状態で、ドア体の開扉可能状態を説明する図、（ｂ）はロック状態を説明する図である。
【図３】ロック状態を説明する図で、（ａ）は側面図、（ｂ）は面ファスナ近傍の要部拡大図、（ｃ）はドアレバー近傍の要部拡大図である。
【符号の説明】
【００２９】
１  ドア体
２  ドアレバー
３  室外側ドアハンドル
４  固定部
５  規制体
６  面ファスナ
【図１】
2006348533.tif 000003
【図２】
2006348533.tif 000004
【図３】
2006348533.tif 000005